(57)【特許請求の範囲】
【請求項１】
洗濯物を収容する脱水槽と、前記脱水槽の底部に設けたパルセータと、前記パルセータの下部に設けたブレードと、前記脱水槽を内包する洗濯槽と、洗濯水を脱水槽の上方へ循環させて前記脱水槽内へ吐出する吐出口を有する循環経路と、前記脱水槽の内壁に沿うように設けたネットと、前記ネットを前記脱水槽の内壁に固定する固定具とを備え、前記固定具を前記脱水槽の内壁の上部と下部に設け、前記ネットは、前記固定具で前記脱水槽の内壁に保持されるとともに、上部の固定具を外して前記パルセータの上方を覆うように回動可能とし、前記ブレードにより前記循環経路を通して洗濯水を循環させ、前記脱水槽内の前記ネット上の洗濯物へ吐出するようにした洗濯機。
【請求項２】
ネットを脱水槽内壁の上下方向に凸部を有する波板形状にした請求項１記載の洗濯機。
【請求項３】
ネットは、下部に設けた固定具の回転軸により脱水槽の内壁に回動自在に保持された循環経路に設けられ、前記ネットを前記循環経路とともに前記パルセータの上方を覆うように回動させ、前記ブレードにより前記循環経路を通して循環する洗濯水を、前記循環経路の下部分離部から前記ネット上の洗濯物へ吐出するようにした請求項１または２記載の洗濯機。
【発明の詳細な説明】
【０００１】
【産業上の利用分野】
本発明は一般家庭で使用される衣類洗濯機に関するものである。
【０００２】
【従来の技術】
従来の洗濯機の構成を添付の図１４に基づいて説明する。図において、１は洗濯機の本体、２は洗濯水を溜める洗濯槽、３は洗濯槽２に内包され洗濯物を収容し上部に流体バランサー４を有する脱水槽、５は脱水槽３の底部に配設された洗濯手段すなわちパルセータであり、パルセータ裏面には循環水流を発生させるブレード６を形成している。７は洗濯水を洗濯物上部に向けてシャワー状に吐出させる脱水槽３の上部に設けた吐出口である。８は伝達機構であり、内部に洗濯時にパルセータ５の回転を所定の回転に減速する減速ギアと、洗濯時・脱水時に応じパルセータ５または脱水槽３を回転駆動することを切り換えるクラッチと、脱水槽３の回転を減速するブレーキを内蔵している。９は上記洗濯槽２の底部に設けたモータ、１０、１１はそれぞれモータ側プーリ、伝達機構側プーリであり、ベルト１２を介してモータ９の動力を伝達する。１３は水道に接続され洗濯槽２に洗濯水を給水制御するする給水手段すなわち給水弁であり、１４は洗濯槽２に給水する経路途中に設けた洗剤入れである。
【０００３】
以上のように構成された従来の洗濯機の洗濯について、その動作を以下に簡単に説明する。洗濯機の使用者は、まず脱水槽３に洗濯物（図示せず）を投入し、次に洗濯物の量に応じた洗剤を洗剤入れ１４に入れ、その後洗濯機のスタートスイッチを押し洗濯を開始する。この後、給水弁１３が開き給水を始めるが、給水される洗濯水は給水経路途中にある洗剤入れ１４内の洗剤を洗濯槽２内に流し込む。所定の量の給水が終わった後、パルセータ５が回転駆動され洗濯物を転動させるとともにブレード６のポンプ作用により洗濯水は循環され吐出口７からシャワー状となって洗濯物にかけられる。これにより、投入された洗剤は素早く溶解するとともにシャワーが洗濯物に作用し高い洗浄性能を得ている。洗浄を行った後、すすぎ、脱水を行い洗濯を終了する。
【０００４】
【発明が解決しようとする課題】
上記従来の洗濯機では、パルセータ５の高速回転により洗濯物を転動させ、洗濯物に大きな機械力を与えることにより洗浄を行っている。これによって洗濯物の汚れを確実に落とすことができ、洗浄効率の高いものである。しかし、布の種類によっては、傷み・からみが極めて大きくなり、ウール等のデリケートな素材の衣類や型くずれの生じ易いブラウス等のおしゃれ着洗浄には適切でなかった。
【０００５】
近年このような衣類の洗濯方法として、少量の洗濯物に対して大量の洗濯水を用い前記パルセータ５を低速駆動する洗濯方式を採用した洗濯機が実現されている。このような方式では、１．２ｋｇ程度の少量の洗濯物に対して５２リットル程度の大量の洗濯水が必要になるとともに洗濯物の量に対して極めて多量の洗剤を必要とし、またパルセータ５が低速といえども回転しているため洗濯物への機械的な力の作用は避けがたく、布傷み・からみ等の面で問題があった。
【０００６】
本発明は、布傷み・からみ等の無いおしゃれ着洗浄を実現する洗濯機の提供を目的とする。
【０００７】
【課題を解決するための手段】
上記の目的を達成するために本発明の請求項１に記載の発明は、洗濯物を収容する脱水槽と、前記脱水槽の底部に設けたパルセータと、前記パルセータの下部に設けたブレードと、前記脱水槽を内包する洗濯槽と、洗濯水を脱水槽の上方へ循環させて前記脱水槽内へ吐出する吐出口を有する循環経路と、前記脱水槽の内壁に沿うように設けたネットと、前記ネットを前記脱水槽の内壁に固定する固定具とを備え、前記固定具を前記脱水槽の内壁の上部と下部に設け、前記ネットは、前記固定具で前記脱水槽の内壁に保持されるとともに、上部の固定具を外して前記パルセータの上方を覆うように回動可能とし、前記ブレードにより前記循環経路を通して洗濯水を循環させ、前記脱水槽内の前記ネット上の洗濯物へ吐出するようにしたものである。
【０００８】
請求項２に記載の発明は、請求項１に記載の発明において、記載ネットを脱水槽内壁の上下方向に凸部を有する波板形状にしたものである。
【０００９】
請求項３に記載の発明は、請求項１または２に記載の発明において、ネットは、下部に設けた固定具の回転軸により脱水槽の内壁に回動自在に保持された循環経路に設けられ、前記ネットを前記循環経路とともに前記パルセータの上方を覆うように回動させ、前記ブレードにより前記循環経路を通して循環する洗濯水を、前記循環経路の下部分離部から前記ネット上の洗濯物へ吐出するようにしたものである。
【００１０】
【作用】
本発明の請求項１に記載の発明により、洗濯物はネットの上に置かれ直接パルセータに接触することはなく洗濯物に作用する機械力すなわち物理力は極めて小さくすることが可能となる。また、衣類が洗浄中に動かないため、からみもない洗浄が可能となる。
【００１１】
請求項２に記載の発明により、ネットを谷部に孔を設けた波板状に形成し、洗濯板の効果を出すことにより洗浄能力を向上させることができる。
【００１２】
請求項３に記載の発明により、上方から洗濯液が衣類にふりかかることにより、確実に衣類と洗濯液の接触を生ずることができ、洗浄性能を向上させることができる。
【００１３】
【実施例】
以下、本発明の第１の実施例を図１、図２に基づいて説明する。ここで、従来例と同様の構成のものは同一番号を付し詳細な説明を省略する。１は本体、２は洗濯槽、３は脱水槽、４は流体バランサー、５はパルセータであり、８は伝達機構、９は上記洗濯槽２の底部に設けたモータ、１０はモータ側プーリ、１１は伝達機構側プーリ、１２はベルト、１３は給水弁である。１４は洗濯槽２に給水する経路途中に設けた洗剤入れである。１５は洗濯槽２の底部に設けた排水口である。パルセータ５の下部には、ブレード６が設けられており、循環水流を発生させる。１６は洗濯水を脱水槽３に戻す循環経路である。循環経路１６は洗濯水をシャワー状に脱水槽３へ吐出する吐出口７を有し、吐出口７は脱水槽３の上部に設けている。１７は脱水槽３の内壁に沿って設けられたネットで、外した状態でパルセータ５を覆うことができる。１８、１９は、ネット１７を脱水槽３の内壁に固定するための固定金具である。
【００１４】
以下に本実施例の動作を説明する。まず使用者はネット１７を脱水槽３の内壁より取り外し、パルセータ５を覆うように脱水槽３の下部に置く。洗濯物たとえばウール等のデリケートな素材の衣類や型くずれの生じ易いブラウス等のおしゃれ着を本実施例では１．２ｋｇ程度をネット１７の上に置く。その洗濯物の量に応じて所定量の洗剤を上記洗剤入れ１４内へ投入する。その後給水弁１３に通電し、洗剤入れ１４内の洗剤とともに洗濯槽２内へ給水する。本実施例では２６リットル程度の給水を行う。洗濯行程ではパルセータ５を伝達機構８とモータ９により約１４０ｒｐｍで回転を行うとともに、ブレード６により発生した循環水流を循環経路１６を使用して吐出口７よりシャワー状の洗濯水を洗濯物に散布しながら洗浄を行う。また、パルセータ５により発生した水流がネット１７を通過して衣類に浸透し、シャワーと共に極めて穏やかな力が洗濯物に作用することとなり、極めて傷み・からみ等の少ない洗濯を実現できる。また従来の洗濯機での洗濯水量が５２リットル程度必要であったのに対し、本実施例では２６リットル程度で洗浄可能となり大幅な使用水量の低減と、さらには必要な洗剤量を２分の１とすることができる。
【００１５】
次に第２の実施例について図３に基づいて説明する。まず使用者はネット１７を脱水槽３の内壁に取付ける。洗濯物を脱水槽３に入れ、その洗濯物の量に応じて所定量の洗剤を上記洗剤入れ１４内へ投入する。その後給水弁１３に通電し、洗剤入れ１４内の洗剤とともに所定量洗濯槽２内へ給水する。後は、通常の洗濯行程を行う。脱水槽３の内壁に取付けたネット１７は、脱水槽３の内壁と同形状のため通常の洗浄も問題なく行うことができる。
【００１６】
次に第３の実施例について図４に基づいて説明する。まず使用者はネット１７を循環経路１６に沿って回動部分を有するように取付け、脱水槽３の内壁に沿わせる。洗濯物を脱水槽３に入れ、その洗濯物の量に応じて所定量の洗剤を上記洗剤入れ１４内へ投入する。その後給水弁１３に通電し、洗剤入れ１４内の洗剤とともに所定量洗濯槽２内へ給水する。後は、通常の洗濯行程を行う。脱水槽３の内壁に沿わせたネット１７は、洗濯板の効果を出すように脱水槽内壁に上下方向に凸部を有するような波形に成形されているため通常洗濯時の洗浄力が向上するとともに、おしゃれ着洗い等においては、パルセータ５を覆い。また、循環経路１６にネット１７を着脱自在に取付けたため、循環経路１６以外に設けるよりもネット１７の面積を小さくでき、必要以上に洗濯物に力を加えることがなく洗濯物の動きも良くなる。更にネット１７の取付け部品も構成しやすい。
【００１７】
次に第４の実施例について図５、図６に基づいて説明する。まず使用者は固定つまみ２０を外してネット１７と循環経路１６の一部を脱水槽３の内壁より取り外し、パルセータ５を覆うように脱水槽３の下部に置く。２１は循環経路１６の下部に設けられた回転軸で分離した循環経路を回転自在に保持している。洗濯物たとえばウール等のデリケートな素材の衣類や型くずれの生じ易いブラウス等のおしゃれ着を本実施例では１．２ｋｇ程度をネット１７の上に置く。その洗濯物の量に応じて所定量の洗剤を上記洗剤入れ１４内へ投入する。その後給水弁１３に通電し、洗剤入れ１４内の洗剤とともに洗濯槽２内へ給水する。本実施例では２６リットル程度の給水を行う。洗濯行程ではパルセータ５を伝達機構８とモータ９により約１４０ｒｐｍで回転を行うとともに、ブレード６により発生した循環水流を循環経路１６の下部分離部２２よりシャワー状の洗濯水を洗濯物に散布しながら洗浄を行う。また、パルセータ５により発生した水流がネット１７を通過して衣類に浸透し、シャワーと共に極めて穏やかな力とが洗濯物に作用することとなり、極めて傷み・からみ等の少ない洗濯を実現できる。また従来の洗濯機での洗濯水量が５２リットル程度必要であったのに対し、本実施例では２６リットル程度で洗浄可能となり大幅な使用水量の低減と、さらには必要な洗剤量を２分の１とすることができる。
【００１８】
次に第５の実施例について図７、図８に基づいて説明する。まず使用者はネット１７を脱水槽３の底部に内壁と当接して置き、デリケートな洗濯物を本実施例では１．２ｋｇ程度をネット１７の上に置く。その洗濯物の量に応じて所定量の洗剤を上記洗剤入れ１４内へ投入する。その後給水弁１３に通電し、洗剤入れ１４内の洗剤とともに２６リットル程度洗濯槽２内へ給水する。洗濯行程では、パルセータ５を伝達機構８とモータ９により約１４０ｒｐｍで回転を行うとともに、ブレード６により発生した循環水流を循環経路１６を使用して吐出口７よりシャワー状の洗濯水を洗濯物に散布しながら洗浄を行う。また、パルセータ５により発生したパルセータ中央部の負圧により洗濯物が下方に引っ張られ、ネット１７が弾性体１７ａで構成されているため下方に変形する。パルセータ５が回転方向を変えるために一時停止した時、負圧は消滅し、弾性体１７ａの弾性によってネット１７の上の洗濯物が上方へ移動する。この繰り返しによって洗濯物は、洗濯水の中を上下動し押し洗いされることになり、極めて傷み・からみ等が少なく洗浄力の強い洗濯を実現できる。
【００１９】
次に第６実施例について図９、図１０に基づいて説明する。まず使用者はネット１７をパルセータ５の中央に上下動可能に設けた支え筒２３の上に置き、デリケートな洗濯物を本実施例では１．２ｋｇ程度をネット１７の上に置く。２４は支え筒２３を上方に付勢する圧縮ばねである。その洗濯物の量に応じて所定量の洗剤を上記洗剤入れ１４内へ投入する。その後給水弁１３に通電し、洗剤入れ１４内の洗剤とともに２６リットル程度洗濯槽２内へ給水する。洗濯行程では、パルセータ５を伝達機構８とモータ９により約１４０ｒｐｍで回転を行うとともに、ブレード６により発生した循環水流を循環経路１６を使用して吐出口７よりシャワー状の洗濯水を洗濯物に散布しながら洗浄を行う。また、パルセータ５により発生したパルセータ中央部の負圧により洗濯物が下方に引っ張られ、支え筒２３も下方に移動してネット１７の上の洗濯物も洗濯水の中に沈められる。パルセータ５が回転方向を変えるために一時停止した時、負圧は消滅し、圧縮ばね２４によりネット１７が持ち上げられて洗濯物が上方へ移動する。この繰り返しによって洗濯物は、安定して洗濯水の中を上下動し押し洗いされることになり、極めて傷み・からみ等が少なく洗浄力の強い洗濯を実現できる。圧縮バネにより、特に下から上へのネットの押し戻しが確実になり衣類の上下動を確実に実現することができる。
【００２０】
次に第７の実施例について図１１に基づいて説明する。２５は、ネット１７を脱水槽３の内壁に圧接させる渦巻きばね、２６はネット１７の下端部を脱水槽３の内壁に回転自在に接続する接続器である。使用者がネット１７をパルセータ５の上にセットしようとしてネット１７を脱水槽３の内壁から分離する時、ネット１７の自重で降りようとする力が渦巻きばねの付勢力よりも大きくなると自然にネット１７が下降しセットされる。ネット１７を元に戻すときはネット１７の下降力よりも渦巻きばね２５の付勢力が大きくなる位置までネット１７を持ち上げればよい。また、脱水槽３を回転させることにより発生する遠心力を利用しても良い。
【００２１】
次に第８の実施例について図１２に基づいて説明する。ネット１７は、着時はネットが畳まれ内壁に沿って収納され、脱時は折り畳まれたネットを引き延ばすかまたは、ネットが脱時に脱水槽３の下方に凸状形状を有するもので形成する。
【００２２】
次に第９の実施例について図１３に基づいて説明する。２７はネット１７を昇降させるワイヤ、２８はワイヤ２７が接続された昇降片、２９は昇降片２８に当接し外槽２の内壁を上下するリング状の昇降リングで昇降モータ３０と昇降ワイヤ３１により上下動する。３２はワイヤ２７を各部に保持する滑車である。３３は昇降モータ３０に通電するリード線、３４は制御回路である。３５は以上のように構成された自動着脱手段である。洗濯物たとえばウール等のデリケートな素材の衣類や型くずれの生じ易いブラウス等のおしゃれ着洗いを洗濯すると、制御回路３４が昇降モータ３０に通電し昇降リング２９が下がり、昇降片２８も下方へ移動してネット１７が降下してセットされる。洗濯終了後、昇降モータ３０が昇降ワイヤ３１を巻き上げ、昇降リング２９を上げ昇降片２８を上に移動させてワイヤ２７を引っ張りネット１７を脱水槽３の内壁に沿わせる。昇降片２８と昇降リング２９はスライド自在にしたため、脱水槽３が回転しても、ワイヤ２７ならびに昇降ワイヤ３１がねじれることはない。
【００２３】
【発明の効果】
以上のように本発明の請求項１に記載の発明によれば、洗濯物を収容する脱水槽と、前記脱水槽の底部に設けたパルセータと、前記パルセータの下部に設けたブレードと、前記脱水槽を内包する洗濯槽と、洗濯水を脱水槽の上方へ循環させて前記脱水槽内へ吐出する吐出口を有する循環経路と、前記脱水槽の内壁に沿うように設けたネットと、前記ネットを前記脱水槽の内壁に固定する固定具とを備え、前記固定具を前記脱水槽の内壁の上部と下部に設け、前記ネットは、前記固定具で前記脱水槽の内壁に保持されるとともに、上部の固定具を外して前記パルセータの上方を覆うように回動可能とし、前記ブレードにより前記循環経路を通して洗濯水を循環させ、前記脱水槽内の前記ネット上の洗濯物へ吐出するようにしたから、洗濯物はネットの上に置かれ直接洗濯手段に接触することはなく洗濯物に作用する機械力すなわち物理力は極めて小さくすることが可能となる。また、衣類が洗浄中に動かないため、からみもない洗浄が可能となる。
【００２４】
また、請求項２に記載の発明によれば、ネットを脱水槽内壁の上下方向に凸部を有する波板形状にしたから、通常洗浄時の洗浄能力を向上させることができる。
【００２５】
また、請求項３に記載の発明によれば、ネットは、下部に設けた固定具の回転軸により脱水槽の内壁に回動自在に保持された循環経路に設けられ、前記ネットを前記循環経路とともに前記パルセータの上方を覆うように回動させ、前記ブレードにより前記循環経路を通して循環する洗濯水を、前記循環経路の下部分離部から前記ネット上の洗濯物へ吐出するようにしたから、上方から洗濯液が衣類にふりかかることにより、確実に衣類と洗濯液の接触を生ずることができ、洗浄性能を向上させることができる。
【図面の簡単な説明】
【図１】  本発明の第１の実施例を示す全自動洗濯機の側面断面図
【図２】  同一実施例の脱水槽の側面断面図
【図３】  本発明の第２の実施例を示す脱水槽の側面断面図
【図４】  本発明の第３の実施例を示す脱水槽の側面断面図
【図５】  本発明の第４の実施例を示す全自動洗濯機の側面断面図
【図６】  同一実施例の脱水槽の側面断面図
【図７】  本発明の第５の実施例を示す全自動洗濯機の要部側面断面図
【図８】  同一実施例の全自動洗濯機の要部側面断面図
【図９】  本発明の第６の実施例を示す全自動洗濯機の要部側面断面図
【図１０】  同一実施例の全自動洗濯機の要部側面断面図
【図１１】  本発明の第７の実施例を示す脱水槽の側面断面図
【図１２】  本発明の第８の実施例を示す全自動洗濯機の一部切り欠き平面図
【図１３】  本発明の第９の実施例を示す全自動洗濯機の側面断面図
【図１４】  従来の全自動洗濯機の側面断面図
【符号の説明】
２  洗濯槽
３  脱水槽
５  洗濯手段
６  ブレード
１６  循環経路
１７  ネット
１７ａ  弾性体
２３  支え筒
２５  渦巻きばね
２６  接続器
３５  自動着脱手段
【図１】
0003744013.tif 000002
【図２】
0003744013.tif 000003
【図３】
0003744013.tif 000004
【図４】
0003744013.tif 000005
【図５】
0003744013.tif 000006
【図６】
0003744013.tif 000007
【図７】
0003744013.tif 000008
【図８】
0003744013.tif 000009
【図９】
0003744013.tif 000010
【図１０】
0003744013.tif 000011
【図１１】
0003744013.tif 000012
【図１２】
0003744013.tif 000013
【図１３】
0003744013.tif 000014
【図１４】
0003744013.tif 000015